(57)【特許請求の範囲】
【請求項１】
相対する側壁の点対称位置に、該側壁の外面より突出し該容器の開口縁上に乗る支脚部と、該側壁の一部を外方に膨出させることで該容器の内側面に凹窪し前記支脚部が嵌入可能なポケット部を形成し、下段の容器に対して上段の容器を水平面内で１８０度回転させて乗せることで下段の容器のポケット部に上段の容器の支脚部を嵌入させて容器どうしを重ね合わせられるようにした矩形の運搬用容器であって、側壁に窓孔を開設するにあたりその相対する側壁の点対称位置にメクラ部が存するようにし、容器どうしを上記のように重ね合わせたとき該窓孔が夫々上下段の容器のメクラ部に重合して閉塞されるようにしたことを特徴とする運搬用容器。
【請求項２】
同一顔料が含まれその顔料の添加量のみを相違させることで同系統の２色のプラスチック成形材料を調合し、該各プラスチック成形材料を金型中に夫々２つの射出口から同時に射出することで右半部と左半部とを同一系統のツートンカラーに成形する矩形の運搬用容器であって、相対する側壁の点対称位置に、該側壁の外面より突出し該容器の開口縁上に乗る支脚部と、該側壁の一部を外方に膨出させることで該容器の内側面に凹窪し前記支脚部が嵌入可能なポケット部を形成し、下段の容器に対して上段の容器を水平面内で１８０度回転させて乗せることで下段の容器のポケット部に上段の容器の支脚部を嵌入させて容器どうしを重ね合わせられるようにし、側壁に窓孔を開設するにあたりその相対する側壁の点対称位置にメクラ部が存するようにし、容器どうしを上記のように重ね合わせたとき該窓孔が夫々上下段の容器のメクラ部に重合して閉塞されるようにしたことを特徴とする運搬用容器。
【発明の詳細な説明】
【０００１】
【発明の属する技術分野】
本発明は、下段の容器に対して上段の容器を水平面内で１８０度回転させて乗せることにより下段の容器中に上段の容器を重ね合わせられるように構成した運搬用容器に関するものである。
【０００２】
【従来の技術】
本出願人の登録実用新案である実公平７−３４８１５号公報等により知られている運搬用容器は、相対する側壁の点対称位置に、該側壁の外面より突出し該容器の開口縁上に乗る支脚部と、該側壁の一部を外方に膨出させることで該容器の内側面に凹窪し前記支脚部が嵌入可能なポケット部を形成し、下段の容器に対して上段の容器を水平面内で１８０度回転させて乗せることで下段の容器のポケット部に上段の容器の支脚部を嵌入させて容器どうしを重ね合わせられる（以下、ネスティングという）ようにし、非使用時の容積を縮小できるものである。
【０００３】
また、２シリンダーの特殊成形機により色違いのプラスチック成形材料を金型中に夫々２つの射出口から同時に射出することで、左右が色違い（ツートンカラー）となるように成形された上記運搬用容器は従来から知られている。
【０００４】
【発明が解決しようとする課題】
ところで、この種の容器では通気性等を保つために側壁に種々の形状の窓孔が開設されることが多いが、従来構造の上記容器ではネスティング時にもその窓孔が塞がれないので、埃等の異物を容易に侵入させる欠点があった。
【０００５】
また、上記のような２色成形の運搬用容器では、その成形不良品をリサイクル使用しようとして一体のまま粉砕すると２つの色の違う材料が混じった不安定な色相となるので、美的観点から考えると用途が非常に限定された使用価値の少ないものとなってしまう欠点があった。そのためこのような２色成形製品をリサイクル使用しようとする場合は色の境で２つに切断してから粉砕することもあったがそのような作業は手間が掛かり容易ではなかった。
【０００６】
【課題を解決するための手段】
本発明は上記のような課題を解消し得る積み上げおよび重ね合わせ可能な運搬用容器を提供しようとするもので、相対する側壁の点対称位置に、該側壁の外面より突出し該容器の開口縁上に乗る支脚部と、該側壁の一部を外方に膨出させることで該容器の内側面に凹窪し前記支脚部が嵌入可能なポケット部を形成し、下段の容器に対して上段の容器を水平面内で１８０度回転させて乗せることで下段の容器のポケット部に上段の容器の支脚部を嵌入させて容器どうしを重ね合わせられるようにした矩形の運搬用容器であって、側壁に窓孔を開設するにあたりその相対する側壁の点対称位置にメクラ部が存するようにし、容器どうしを上記のように重ね合わせたとき該窓孔が夫々上下段の容器のメクラ部に重合して閉塞されるようにしたことを特徴とする。
また本発明は、同一顔料が含まれその顔料の添加量のみを相違させることで同系統の２色のプラスチック成形材料を調合し、該各プラスチック成形材料を金型中に夫々２つの射出口から同時に射出することで右半部と左半部とを同一系統のツートンカラーに成形する矩形の運搬用容器であって、相対する側壁の点対称位置に、該側壁の外面より突出し該容器の開口縁上に乗る支脚部と、該側壁の一部を外方に膨出させることで該容器の内側面に凹窪し前記支脚部が嵌入可能なポケット部を形成し、下段の容器に対して上段の容器を水平面内で１８０度回転させて乗せることで下段の容器のポケット部に上段の容器の支脚部を嵌入させて容器どうしを重ね合わせられるようにし、側壁に窓孔を開設するにあたりその相対する側壁の点対称位置にメクラ部が存するようにし、容器どうしを上記のように重ね合わせたとき該窓孔が夫々上下段の容器のメクラ部に重合して閉塞されるようにしたことを特徴とするものである。
【０００７】
【発明の実施の形態】
次に図面に従い本発明の実施の形態を説明する。図１は本発明に係る運搬用容器の外観斜視図、図２は平面図である。この運搬用容器は、長側壁１，２と短側壁３，４が開口縁５に向かい少し外に拡がるように傾斜している矩形容器であり、該容器の開口縁にフランジ５が外向鍔状に形成される。６は該容器の外側面にフランジ５より少し間隔を置いて形成された補強リブである。そしてこの容器ではその中心点Ｏを点対称とする支脚部とポケット部とからなる組が該長側壁１，２および短側壁３，４に４組ずつ以下のようにして形成される。
【０００８】
即ち、長側壁１，２には、互いに点対称位置にある支脚部７Ａ，ポケット部８ＡからなるＡ組と、互いに点対称位置にある支脚部７Ｂ，ポケット部８ＢからなるＢ組と、互いに点対称位置にある支脚部７Ｃ，ポケット部８ＣからなるＣ組と、互いに点対称位置にある支脚部７Ｄ，ポケット部８ＤからなるＤ組が形成される。この支脚部７Ａ〜７Ｄは長側壁１，２の外面より外方に突出するものである。また、ポケット部８Ａ〜８Ｄは長側壁１，２の一部を外方に膨出させることで該容器の内側面が凹窪し前記支脚部７Ａ〜７Ｄが該ポケット部８Ａ〜８Ｄ中に嵌入可能なる大きさに形成される。なお、長側壁１，２の外面で支脚部７Ａ〜７Ｄの下部には縦筋状の寄せリブ９Ａ〜９Ｄが夫々突設される。
【０００９】
一方、短側壁３，４には、互いに点対称位置にある支脚部１０Ｇ，ポケット部１１ＧからなるＧ組と、互いに点対称位置にある支脚部１０Ｈ，ポケット部１１ＨからなるＨ組と、互いに点対称位置にある支脚部１０Ｉ，ポケット部１１ＩからなるＩ組と、互いに点対称位置にある支脚部１０Ｊ，ポケット部１１ＪからなるＪ組が形成される。支脚部１０Ｇ〜１０Ｊは短側壁３，４の外面より外方に突出するものある。また、ポケット部１１Ｇ〜１１Ｊは短側壁３，４の一部を外方に膨出させることで該容器の内側面が凹窪し前記支脚部１０Ｇ〜１０Ｊが該ポケット部１１Ｇ〜１１Ｊ中に嵌入可能なる大きさに形成されている。なお、短側壁３，４の外面で支脚部１０Ｇ〜１０Ｊの下部には縦筋状の寄せリブ１２Ｇ〜１２Ｊが突設される。
【００１０】
なお、上記各ポケット部８Ａ〜８Ｄ，１１Ｇ〜１１Ｊはその底部を段状に形成することにより寄せリブ９Ａ〜９Ｄ，１２Ｇ〜１２Ｊが嵌入可能なるように形成されている。
【００１１】
しかして本発明では、長側壁１に窓孔１３Ａを開設するにあたりその相対する長側壁２に該窓孔１３Ａを塞ぎ得るメクラ部１４Ａが存するようにする。また、長側壁１に窓孔１３Ｂを開設するにあたりその相対する長側壁２に該窓孔１３Ｂを塞ぎ得るメクラ部１４Ｂが存するようにする。同様に、窓孔１３Ｃを開設するにあたりメクラ部１４Ｃが存し、窓孔１３Ｄを開設するにあたりメクラ部１４Ｄが存するようにする。また、長側壁２に窓孔１５Ａを開設するにあたっては長側壁１に該窓孔１５Ａを塞ぎ得るメクラ部１６Ａが存するようにし、長側壁２に窓孔１５Ｂを開設するにあたっては長側壁１に該窓孔１５Ｂを塞ぎ得るメクラ部１６Ｂが存するようにし、同様に窓孔１５Ｃを開設するにあたりメクラ部１６Ｃが存し、窓孔１５Ｄを開設するにあたりメクラ部１６Ｄが存するようにする。
【００１２】
また、短側壁３に窓孔１７Ｅを開設するにあたってはその相対する短側壁４に該窓孔１７Ｅを塞ぎ得るメクラ部１８Ｅが存するようにし、窓孔１７Ｆを開設するにあたっては短側壁４にメクラ部１８Ｆが存するようにする。また、短側壁４に窓孔１９Ｅを開設するにあたってはその相対する短側壁３に該窓孔１９Ｅを塞ぎ得るメクラ部２０Ｅが存するようにし、窓孔１９Ｆを開設するにあたってはメクラ部２０Ｆが存するようにする。
【００１３】
また、この運搬用容器は、右半部が薄青色のプラスチック成形材料にて成形され、左半部が濃青色のプラスチック成形材料にて成形される。この場合、右半部を構成するプラスチック成形材料と左半部２を構成するプラスチック成形材料とは、同一顔料が添加されたものであって、右半部のプラスチック成形材料についてはその添加量を０．３％とし、左半部のプラスチック成形材料についてはその添加量を０．７％とすることで濃淡を生じさせている。このように１つの運搬用容器の二部分について顔料の添加量を変え、各プラスチック成形材料を金型中に夫々２つの射出口から同時に射出することで同系統の２色でツートンカラーがもたらされるようにしている。
【００１４】
このように構成した運搬用容器では、図３に示したように、下段の容器上に上段の容器を回転させることなく乗せた場合、下段の容器のフランジ５の凹縁部１３上に上段の容器の支脚部７Ａ〜７Ｄおよび支脚部１０Ｇ〜１０Ｊが支持されて積み上げ（以下、スタッキングという）できる。そのとき、上段の容器の寄せリブ９Ａ〜９Ｄ，１２Ｇ〜１２Ｊが下段の容器の凹所１５に遊嵌する。また、図４に示したように、下段の容器に対して上段の容器を水平面内で１８０度回転させて乗せると、各組どうし寸法が合致することから、下段の容器の各ポケット部８Ａ〜８Ｄ，１１Ｇ〜１１Ｊに上段の容器の支脚部７Ａ〜７Ｄ，支脚部１０Ｇ〜１０Ｊが嵌入しネスティングできる。
【００１５】
こうしてネスティング状態としたとき、上記窓孔１３Ａ〜１３Ｄ，窓孔１５Ａ〜１５Ｄ，窓孔１７Ｅ，窓孔１７Ｆ，窓孔１９Ｅ，窓孔１９Ｆが夫々上下段の容器のメクラ部に重合して閉塞されるので、塵，埃，小動物等の異物が侵入するのを防ぐことができる。
【００１６】
また、図５に示した本発明の実施形態は、窓孔を側壁の上半部にのみ開口させた容器を示す。この容器ではネスティング時に最下段のものの窓孔もその上段の容器の側壁により閉塞される。また、図６は窓孔を側壁の下半部にのみ開口させた本発明の実施形態を示す。
【００１７】
なお、上記実施形態では、長側壁１，２と短側壁３，４に共に４組ずつ支脚部とポケット部を形成したが、一方の側壁にのみ形成したものであってもよく、また同様に、上記窓孔とメクラ部についてもその数や形状はいずれでもよく、一方の側壁にのみ形成されていてもよいことは勿論である。
【００１８】
また、成形不良品あるいは使用済み品等をリサイクルに際して、上記２色の同量のプラスチック成形材料を混ぜると、顔料添加量が０．５％の混合材料となるためこの混合材料を使用して新たな製品を成形しても青色が濁ることがなく色相は安定し、リサイクル材料の用途を拡大させる。そしてこのようにツートンカラーとすることで上下段の容器の向きを見分け易くなることから取り扱い作業性を向上させる。従ってこのように同一顔料の添加量のみを相違させた同系統の２色のプラスチック成形材料を金型中に夫々２つの射出口から同時に射出することで右半部と左半部とを同一系統のツートンカラーに成形した運搬用容器では、そのリサイクル使用を容易ならしめ、プラスチック資源を有効活用できる。
【００１９】
【発明の効果】
以上説明したように本発明は、下段の容器に対して上段の容器を水平面内で１８０度回転させて乗せることで下段の容器のポケット部に上段の容器の支脚部を嵌入させて容器どうしを重ね合わせられるようにした矩形の運搬用容器であって、その側壁にその重ね合わせによって閉塞される窓孔を開設できたものであるので、保管時等に埃等の異物の侵入が防がれ使い勝手を向上させる有益な効果がある。さらには、ツートンカラーとした場合にもそのプラスチック成形材料のリサイクルを容易ならしめる効果がある。
【図面の簡単な説明】
【図１】本発明に係る運搬用容器の実施形態を示す外観斜視図。
【図２】図１の運搬用容器の平面図。
【図３】本発明に係る運搬用容器のスタッキング時の側面図。
【図４】本発明に係る運搬用容器のネスティング時の側面図。
【図５】本発明の他の実施形態を示す運搬用容器の側面図。
【図６】本発明の他の実施形態を示す運搬用容器の側面図。
【符号の説明】
１，２      長側壁
３，４      短側壁
５          フランジ
７Ａ〜７Ｄ  支脚部
８Ａ〜８Ｄ  ポケット部
１３Ａ〜１３Ｄ  窓孔
１４Ａ〜１４Ｄ  メクラ部
１５Ａ〜１５Ｄ  窓孔
１６Ａ〜１６Ｄ  メクラ部
【図１】
0004484395.tif 000002
【図２】
0004484395.tif 000003
【図３】
0004484395.tif 000004
【図４】
0004484395.tif 000005
【図５】
0004484395.tif 000006
【図６】
0004484395.tif 000007